(57)【要約】【課題】車内で商用電源を電源供給源とする電気機器や電子機器を利用する。【解決手段】自動車２のトランクルーム３には、内部に外部からの商用電源を延長コードを介して接続する差込口４ａを備えた導入側コンセント（入側接続具）４が取り付けられる。このコンセント４には、外部からの情報通信信号を延長ケーブルを介して接続する端末（例えばＬＡＮ端末）４ｂも設けられる。自動車２の車内５には、商用電源を電源供給源とする電気機器（例えば、照明器具等）や電子機器（例えば、ノート型パソコン等）を電気的に接続する利用側コンセント（出側接続具）６が取り付けられる。利用側コンセント６には、導入側コンセント４と同様に電源差込口と端末が設けられる。これら導入側コンセント４と利用側コンセント６はコード７により電源側と情報側とがそれぞれ電気的に接続される。【選択図】  図１
2005289337.tif 000002
【特許請求の範囲】
【請求項１】
駆動源とバッテリーとを備えた自動車に、外部の商用電源を車内に引き込む電源引き込み手段と外部の情報通信信号を車内に引き込む信号引き込み手段とのうち少なくともいずれか一方を設けたことを特徴とする自動車。
【請求項２】
各引き込み手段は、車体外側に設けられた入側接続具と、車内に設けられ商用電源を用いる電気機器または電子機器と接続可能な出側接続具と、これら両接続具を電気的に接続するコードとを備えていることを特徴とする請求項１に記載の自動車。
【請求項３】
入側接続具を、車体外面の一部に蓋により開閉可能に設けたことを特徴とする請求項２に記載の乗用車。
【請求項４】
入側接続具を、トランクルーム内に設けたことを特徴とする請求項２または３に記載の乗用車。
【発明の詳細な説明】
【技術分野】
【０００１】  本発明は、セダン、ワゴン、ハッチバックやバン等の乗用車を含む自動車に関するものである。
【背景技術】
【０００２】  一般に、自動車の車内にはテレビやカーステレオ、ＧＰＳ等の機器が設置されていることが多い。これらの機器は、従来、自動車に搭載されたバッテリーから電源をとるようにしている。バッテリーの供給電力には限界があるため、消費電力の大きい電気機器を車内で使用することは想定されていない。一方、車内で消費電力の大きい電気機器、例えば、冷蔵庫や照明器具等を使用することができる自動車や牽引車としては、キャンピングカーやキャンピング用牽引車が知られている。これらキャンプ用車輌は電気機器を車内で用いるため、キャンプ地まで発電機を持ち運ぶか、キャンプ地に設けられた商用電源供給源に延長コードを接続して電源をとるようにしている。また、従来、外部の商用電源を自動車駆動源である電動モータの電源バッテリへ導く電源コンセントを備えた自動車が知られている（例えば、特許文献１参照）。
【特許文献１】特開２００２−１３５９０６号公報（第２頁、図１）
【発明の開示】
【発明が解決しようとする課題】
【０００３】  しかしながら、近年、乗用車の居住性が向上し、自宅の駐車場に停車させた乗用車を書斎代わりに使用することが多くなってきた。ところが、夜間や深夜に利用する場合、周辺の静粛な環境を考慮するとエンジンをかけにくい。このため、乗用車のバッテリーを使用することなく、自宅から車内まで延長コードを引き延ばし、窓やドアを開けた状態で照明器具やパソコンを車内に運び込んで使うようにしている。このため、寒い時期などは、冷気が開いた窓やドアから吹き込み、車内を書斎代わりに使いにくいという問題がある。【０００４】  本発明は、上記課題を解決するためになされたもので、簡素な構成でたとえドアや窓を閉めきっても車内で商用電源を電源供給源とする電気機器や電子機器を利用することができる自動車を提供することを目的とするものである。
【課題を解決するための手段】
【０００５】  本発明に係る自動車は、駆動源とバッテリーとを備えた自動車に、外部の商用電源を車内に引き込む電源引き込み手段と外部の情報通信信号を車内に引き込む信号引き込み手段とのうち少なくともいずれか一方を設けたものである。【０００６】  本発明に係る自動車では、駆動源とバッテリーとを備えた自動車に、外部の商用電源を車内に引き込む電源引き込み手段と外部の情報通信信号を車内に引き込む信号引き込み手段とのうち少なくともいずれか一方を設けたので、停車時、外部からの商用電源または情報通信信号発信源を車内に引き込むことができる。このため、電気機器または電子機器を車内に持ち込んで利用することができる。【０００７】  また、請求項２に係る自動車は、各引き込み手段は、車体外側に設けられた入側接続具と、車内に設けられ商用電源を用いる電気機器または電子機器と接続可能な出側接続具と、これら両接続具を電気的に接続するコードとを備えて構成したものである。【０００８】  請求項２に係る自動車では、各引き込み手段は、車体外側に設けられた入側接続具と、車内に設けられ商用電源を用いる電気機器または電子機器と接続可能な出側接続具と、これら両接続具を電気的に接続するコードとを備えて構成したので、外部の商用電源または情報通信信号発信源を延長コードを介して入側接続具に接続すると、車内で、窓またはドアを閉じた状態で電気機器または電子機器を使用することができる。【０００９】  さらに、請求項３に係る自動車は、入側接続具を、車体外面の一部に蓋により開閉可能に設けたものである。【００１０】  請求項３に係る自動車では、入側接続具を、車体外面の一部に蓋により開閉可能に設けたので、入側接続具は蓋を閉じると雨水の浸入を防ぐことができる。使用時には蓋を開いて外部の商用電源または情報通信信号発信源と接続される。【００１１】  請求項４に係る自動車は、入側接続具を、トランクルーム内に設けたものである。【００１２】  請求項４に係る自動車では、入側接続具を、トランクルーム内に設けたので、天候による影響を避けることができる。また、外面に露出することがないので、意匠上の自由度が増す。停車時、トランクルームを開けた状態で外部の電源または情報通信信号を接続するので、誤って発車するのを防ぐことができる。
【発明の効果】
【００１３】  本発明に係る自動車は、車内に商用電源を電源とする電気機器または電子機器を持ち込んで使うことができるので、車内を書斎のように住居の一部として快適に利用することができる。
【発明を実施するための最良の形態】
【００１４】  本発明に係る自動車は、車内で商用電源を電源とする電気機器または電子機器を使用するという目的を、車内に外部の商用電源または、および外部の情報通信信号を引き込むことにより実現した。
【実施例１】
【００１５】  以下、図面に示す実施例により本発明を説明する。図１は本発明の一実施例に係る自動車の要部を示す説明図である。本実施例に係る自動車２は、図示しない内燃エンジンまたは電気駆動モータを備え、バッテリー（図示せず）を搭載している。この自動車２の後部には、トランクルーム３が設けられている。このトランクルーム３には、内部に外部からの商用電源を延長コードを介して接続する差込口４ａを備えた導入側コンセント（入側接続具）４が取り付けられる。このコンセント４には、外部からの情報通信信号を延長ケーブルを介して接続する端末（例えばＬＡＮ端末）４ｂも設けられる。自動車２の車内５には、商用電源を電源供給源とする電気機器（例えば、照明器具等、図示せず）や電子機器（例えば、ノート型パソコン等、図示せず）を電気的に接続する利用側コンセント（出側接続具）６が取り付けられる。利用側コンセント６には、導入側コンセント４と同様に電源差込口（図示せず）と端末（図示せず）が設けられる。【００１６】  これら導入側コンセント４と利用側コンセント６はコード７により電源側と情報側とがそれぞれ電気的に接続される。コード７は車体の内部を引き回してトランクルーム３と車内５とを連絡している。コンセント４の差込口４ａとコード７とコンセント６の図示しない電源差込口とにより外部の商用電源を車内に引き込む電源引き込み手段を構成する。コンセント４の端末４ｂとコード７とコンセント６の図示しない情報端末とにより外部の情報通信信号を車内に引き込む信号引き込み手段を構成する。これらコンセント４、６には、図示しない蓋が着脱自在に取り付けられ、使用しないときには異物やごみの侵入を防ぐようになっている。【００１７】  次に、上記実施例に係る自動車の作用について説明する。導入側コンセント４の差込口４ａに延長コード（図示せず）を介して外部から商用電源を接続すると、車内５の利用側コンセント６では商用電源が利用可能な状態になる。このため、車内５に照明器具などの電気機器を持ち込み、コンセント６の電源差込口に接続すると車内５で商用電源を電源供給源とする電気機器を使うことができる。また、導入側コンセント４の端末４ｂに延長ケーブル（図示せず）を介して外部から情報通信信号源の出力側端末を接続すると、車内の利用側コンセント６では、外部の情報通信信号が利用可能な状態になる。このため、車内５にパソコンなどの電子機器を持ち込み、コンセント６の端末に接続すると車内５で電子機器を使うことができる。使用時、トランクルーム３を開いて延長コードや延長ケーブルを引き込んでいるので、トランクルーム３の蓋が開いていることが視野に入りやすく、誤って自動車を発進させることもない。【００１８】  なお、上記実施例では、引き込み手段として導入側と利用側にコンセントを用いコードで接続するようにしているが、これに限られるものではなく、コネクタ、ソケット、プラグ等の接続具であればよいことはいうまでもない。また、トランクルーム３内にコンセント４を設けているが導入側コンセントはこれに限られるものではなく、使い勝手のよい場所であれば自動車の外面のどこに設けてもよい。その場合、導入側コンセント４に開閉可能な蓋を設け、雨水等���防ぐようにすることが好ましい。上記実施例ではコンセント４、６に電源差込口と情報端末との両方を設けているがこれに限られるものではなく、少なくともどちらか一方を備えていればよい。
【図面の簡単な説明】
【００１９】
【図１】本発明の一実施例に係る自動車の要部を示す説明図である。（実施例１）
【図２】トランクルーム内の導入側コンセントを示す説明図である。
【符号の説明】
【００２０】    ２  自動車
４  導入側コンセント（入側接続具）
６  利用側コンセント（出側接続具）
７  コード
【図１】
2005289337.tif 000003
【図２】
2005289337.tif 000004